【手続補正書】
【提出日】平成18年4月18日(2006.4.18)
【手続補正１】
【補正対象書類名】明細書
【補正対象項目名】発明の名称
【補正方法】変更
【補正の内容】
【発明の名称】画像処理装置及び画像処理方法
【手続補正２】
【補正対象書類名】明細書
【補正対象項目名】特許請求の範囲
【補正方法】変更
【補正の内容】
【特許請求の範囲】
【請求項１】  画像取得時の条件情報を含む画像情報に対して画像処理を施す画像処理装置であって、
上記条件情報を解析する解析手段と、
上記解析手段の解析結果に基づいて上記画像情報に対して施す画像処理の内容を決定する画像処理決定手段とを備えることを特徴とする画像処理装置。
【請求項２】  上記画像処理決定手段で決定された画像処理を上記画像情報に施す画像処理手段と、
上記画像処理手段により画像処理された後の画像情報を出力する画像出力手段とを備えることを特徴とする請求項１に記載の画像処理装置。
【請求項３】  上記画像処理決定手段は、上記画像処理を行なうための画像補正アルゴリズムを決定することを特徴とする請求項１に記載の画像処理装置。
【請求項４】  上記画像出力手段は、印刷出力機能を含むことを特徴とする請求項２に記載の画像処理装置。
【請求項５】  上記画像情報は、デジタルスチルカメラにより得られた画像情報を含むことを特徴とする請求項１に記載の画像処理装置。
【請求項６】  上記画像情報は、撮影画像情報を含み、上記画像取得時の条件情報は、上記デジタルスチルカメラによる撮影時の視線入力による位置情報を含むことを特徴とする請求項５に記載の画像処理装置。
【請求項７】  上記画像処理決定手段は、上記視線入力による位置情報に対応してあらかじめ対応付けられた画像エリアのヒストグラム情報に基づいて、上記画像情報に対して施す画像処理を決定することを特徴とする請求項５に記載の画像処理装置。
【請求項８】  上記画像処理決定手段は、上記視線入力による位置情報に対応してあらかじめ決められた重み付けによるヒストグラム情報に基づいて、上記画像情報に対して施す画像処理を決定することを特徴とする請求項５に記載の画像処理装置。
【請求項９】  上記解析手段は、上記画像情報を解析する機能を有することを特徴とする請求項１に記載の画像処理装置。
【請求項１０】  上記画像取得時の条件情報として、撮影時に視線が向けられたエリアを画像データに記録したことを特徴とする請求項１〜９の何れか１項に記載の画像処理装置。
【請求項１１】  複数の機器が互いに通信可能に接続されてなる画像処理システムであって、
上記複数の機器のうち少なくとも１つの機器は、請求項１〜１０の何れか１項に記載の画像処理装置により構成されていることを特徴とする画像処理システム。
【請求項１２】  画像取得時の条件情報を含む画像情報に対して画像処理を施すための画像処理方法であって、
上記条件情報を解析する解析ステップと、
上記解析ステップによる解析結果に基づいて上記画像処理のアルゴリズムを決定する画像処理決定ステップとを含むことを特徴とする画像処理方法。
【請求項１３】  画像取得時の条件情報を含む画像情報へ画像補正処理を施して印刷処理するための画像処理方法であって、
上記条件情報を解析する解析ステップと、
上記解析ステップによる解析結果に基づいて、上記画像補正条件を決定する画像補正条件決定ステップと、
上記画像補正条件決定ステップにより決定された画像補正条件に基いて、上記画像情報へ画像補正処理を施す画像補正ステップと、
上記画像補正ステップによる処理後の画像情報を印刷処理する印刷ステップとを含むことを特徴とする画像処理方法。
【請求項１４】  画像取得時の条件情報を含む画像情報へ画像補正処理を施して印刷処理するための画像処理方法であって、
上記条件情報を解析する第１の解析ステップと、
上記条件情報に基づいて上記画像情報の特徴を解析する第２の解析ステップと、
上記第２の解析ステップによる解析結果に基づいて、上記画像補正条件を決定する画像補正条件決定ステップと、
上記画像補正条件決定ステップにより決定された画像補正条件に基づいて、上記画像情報へ画像補正処理を施す画像補正処理ステップと、
上記画像補正処理ステップにより画像補正処理された後の画像情報を印刷処理する印刷ステップとを含むことを特徴とする画像処理方法。
【請求項１５】  上記画像情報をデジタルスチルカメラの撮影により取得する画像取得ステップを含むことを特徴とする請求項１２〜１４の何れか１項に記載の画像処理方法。
【請求項１６】  上記画像情報は、撮影画像情報を含み、上記画像取得時の条件情報は、上記デジタルスチルカメラによる撮影時の視線入力による位置情報を含むことを特徴とする請求項１２〜１４の何れか１項に記載の画像処理方法。
【請求項１７】  上記画像処理決定ステップにおいては、上記視線入力による位置情報に対応してあらかじめ対応付けられた画像エリアのヒストグラム情報に基づいて画像補正処理を決定することを特徴とする請求項１２〜１４の何れか１項に記載の画像処理方法。
【請求項１８】  上記画像処理決定ステップにおいては、上記視線入力による位置情報に対応してあらかじめ決められた重み付けによるヒストグラム情報に基づいて画像補正処理を決定することを特徴とする請求項１２〜１４の何れか１項に記載の画像処理方法。
【請求項１９】  請求項１〜１０の何れか１項に記載の画像処理装置の機能、又は請求項１１に記載の画像処理システムの機能をコンピュータに実現させるためのプログラムを記録したことを特徴とするコンピュータ読み取り可能な記憶媒体。
【請求項２０】  請求項１２〜１８の何れか１項に記載の画像処理方法の処理ステップをコンピュータに実行させるためのプログラムを記録したことを特徴とするコンピュータ読み取り可能な記憶媒体。
【請求項２１】  請求項１〜１０の何れか１項に記載の画像処理装置の機能、又は請求項１１に記載の画像処理システムの機能をコンピュータに実現させるためのプログラム。
【請求項２２】  請求項１２〜１８の何れか１項に記載の画像処理方法の処理ステップをコンピュータに実行させるためのプログラム。
【手続補正３】
【補正対象書類名】明細書
【補正対象項目名】０００１
【補正方法】変更
【補正の内容】
【０００１】
【発明の属する技術分野】
本発明は画像処理装置及び画像処理方法に関し、特に、デジタルスチルカメラ等により撮影して取得したデジタル画像データをプリンタで印刷出力する際に、最適な画像データに変換して高品質な印刷画像を得られるようにするために用いて好適な技術に関するものである。
【手続補正４】
【補正対象書類名】明細書
【補正対象項目名】００２１
【補正方法】変更
【補正の内容】
【００２１】
【課題を解決するための手段】
本発明の画像処理装置は、画像取得時の条件情報を含む画像情報に対して画像処理を施す画像処理装置であって、上記条件情報を解析する解析手段と、上記解析手段の解析結果に基づいて上記画像情報に対して施す画像処理の内容を決定する画像処理決定手段とを備えることを特徴とする。
また、本発明の画像処理システムは、複数の機器が互いに通信可能に接続されてなる画像処理システムであって、上記複数の機器のうち少なくとも１つの機器は、前記の何れかに記載の画像処理装置の機能を有することを特徴とする。
また、本発明の画像処理方法は、画像取得時の条件情報を含む画像情報に対して画像処理を施すための画像処理方法であって、上記条件情報を解析する解析ステップと、上記解析ステップによる解析結果に基づいて上記画像処理のアルゴリズムを決定する画像処理決定ステップとを含むことを特徴とする。
また、本発明の画像処理方法の他の特徴とするところは、画像取得時の条件情報を含む画像情報へ画像補正処理を施して印刷処理するための画像処理方法であって、上記条件情報を解析する解析ステップと、上記解析ステップによる解析結果に基づいて、上記画像補正条件を決定する画像補正条件決定ステップと、上記画像補正条件決定ステップにより決定された画像補正条件に基いて、上記画像情報へ画像補正処理を施す画像補正ステップと、上記画像補正ステップによる処理後の画像情報を印刷処理する印刷ステップとを含むことを特徴とする。
また、本発明の画像処理方法のその他の特徴とするところは、画像取得時の条件情報を含む画像情報へ画像補正処理を施して印刷処理するための画像処理方法であって、上記条件情報を解析する第１の解析ステップと、上記条件情報に基づいて上記画像情報の特徴を解析する第２の解析ステップと、上記第２の解析ステップによる解析結果に基づいて、上記画像補正条件を決定する画像補正条件決定ステップと、上記画像補正条件決定ステップにより決定された画像補正条件に基づいて、上記画像情報へ画像補正処理を施す画像補正処理ステップと、上記画像補正処理ステップにより画像補正処理された後の画像情報を印刷処理する印刷ステップとを含むことを特徴とする。
【手続補正５】
【補正対象書類名】明細書
【補正対象項目名】００２２
【補正方法】変更
【補正の内容】
【００２２】
【発明の実施の形態】
以下、本発明の実施の形態について図面を用いて説明する。
［第1の実施の形態］
本発明の画像処理装置は、例えば、図１に示すような画像印刷システム１００に適用される。
本実施の形態の画像印刷システム１００は、特に、デジタルスチルカメラ１０１で撮影して得られた処理対象の画像データに付加された撮影条件を示す情報（付加情報）の解析結果に基づいて、上記画像データの画像補正を自動的に実施することで、高精度な自動画像補正を実現し、撮影時のユーザの意図を、より反映した高品質の写真画像印刷結果を提供できるように構成されている。